(57)【要約】【課題】        従来、難溶性薬剤の懸濁液の注腸容器において、容器本体の吐出口部を下方に傾けて吐出口部に連結した注腸ノズルから懸濁液を吐出する場合、吐出するまでに準備時間を必要とする関係上、容器本体の吐出口部に難溶性薬剤が滞留すると吐出操作が難しく、また、逆流するのを充分に阻止することができない課題があった。【解決手段】  懸濁液を収容した容器本体５０の吐出口部５１に連結した注腸ノズル６０のノズル連結部６１内に、密着側面を有する弁頭部１０と該弁頭部１０を弾圧すると共に懸濁液を吐出方向に誘導する螺旋状の弾力バネ部３０を有する弁部材４０を内部に一体に収容した弁収容筒体１を設け、難溶性薬剤の懸濁液を流動的に注腸ノズル６０から吐出することができると共に、注腸ノズル側からの逆流を確実に阻止することができる懸濁液用注腸容器。【選択図】                図７
2010279455.tif 000002
【特許請求の範囲】
【請求項１】
難溶性薬剤を懸濁した懸濁液を収容した容器本体の吐出口部を下方に傾けて前記吐出口部に連結した注腸ノズルから難溶性薬剤の懸濁液を吐出するようにした注腸容器において、
容器本体の吐出口部に連結する注腸ノズルのノズル連結部に、懸濁液が滞留可能な大径管部と、該大径管部から滑らかに小径化して弁頭部の側面と密着して嵌受する弁受管部と、弁受管部から再度滑らかに大径化して弁頭部を開閉作動可能に収容する弁収容管部とを有する弁収容筒体を設けると共に、
前記弁収容筒体内に、前記弁受管部に嵌合する先細りのテーパー嵌合面を側面に有する前記弁頭部と、弁収容筒体の末端部に設置可能な中空状の筒状弁基部と、弁頭部と筒状弁基部との間に弁頭部を弁受管部に向かって弾圧すると共に難溶性薬剤の懸濁液を吐出方向に誘導可能に螺旋状に設けた弾力バネ部とを有する弁部材を設けてなる懸濁液用注腸容器。
【請求項２】
請求項１に記載の懸濁液用注腸容器において、弁頭部が弁受管部との間にテーパー嵌合面以外に密着位置をガイドし規制する当接弁部を有しない懸濁液用注腸容器。
【請求項３】
請求項１又は２に記載の懸濁液用注腸容器において、弁頭部が基端部側面から先端部側面まで断面円状で高さに対してテーパー嵌合面の半径が０．０２〜０．２の割合で減少する滑らかな円断面を有する懸濁液用注腸容器。
【請求項４】
請求項１、２又は３に記載の懸濁液用注腸容器において、弁部材が弁頭部と筒状弁基部との間に弾力バネ部以外の連結部分を有しない懸濁液用注腸容器。
【請求項５】
請求項１乃至４のいずれかに記載の懸濁液用注腸容器において、弾力バネ部が複数条の重なり合わないバネ片部からなる懸濁液用注腸容器。
【請求項６】
請求項５に記載の懸濁液用注腸容器において、弾性バネ部が３条のバネ片部からなる懸濁液用注腸容器。
【請求項７】
請求項１乃至６のいずれかに記載の懸濁液用注腸容器において、弾性バネ部の内径が筒状弁基部の内径にほぼ等しい懸濁液用注腸容器。
【請求項８】
請求項１乃至７のいずれかに記載の懸濁液用注腸容器において、弁受管部の最小径面部が滑らかな円弧断面を有する懸濁液用注腸容器。
【請求項９】
請求項１乃至８のいずれかに記載の懸濁液用注腸容器において、弁頭部に逆流阻止用凹陥部を設けてなる懸濁液用注腸容器。
【発明の詳細な説明】
【技術分野】
【０００１】
本発明は、難溶性薬剤を懸濁した懸濁液を収容した容器本体の吐出口部を下方に傾けて前記吐出口部に連結した注腸ノズルから難溶性薬剤の懸濁液を吐出するようにした懸濁液用注腸容器に関する。
【背景技術】
【０００２】
従来、溶液より比重の重い難溶性薬剤を懸濁した懸濁液の注腸容器において、容器本体の吐出口部を下方に傾けて前記吐出口部に連結した注腸ノズルから難溶性薬剤の懸濁液を吐出するには、容器本体を傾けてから吐出するまでの準備に相当の時間を要する関係上、容器本体の吐出部に難溶性薬剤が滞留して思うように吐出操作が出来なかったり、逆流するのを充分に阻止することができない課題があった。
【０００３】
本発明に使用される難溶性薬剤は、特許文献１に記載のように、日本薬局方にいう溶解性を示す用語の「やや溶けにくい」、「溶けにくい」、「極めて溶けにくい」および「ほとんど溶けない」のいずれの溶解性を示すもので、処方の形態としては水性懸濁液剤として提供されるものが含まれる。
【０００４】
難溶性薬物の具体的な例としては、特許文献１に記載のように、ステロイド性抗炎症剤、消炎鎮痛剤、解熱鎮痛剤、抗てんかん剤、化学療法剤、合成抗菌剤、抗ウィルス剤、ホルモン剤、血管新生抑制剤、免疫抑制剤、プロテアーゼ阻害剤、アルドース還元酵素阻害剤、または潰瘍性大腸炎治療剤などが挙げられる。ステロイド抗炎症剤としては、酢酸コルチゾン、ベタメタゾン、プレドニゾロン、プロピオン酸フルチカゾン、デキサメタゾン、ブデソニド、プロピオン酸ベクロメタゾン、トリアムシノロン、ロトプレドノール、フルオロメトロン、ジフルプレドナード、フランカルボン酸モメタゾン、プロピオン酸クロベタゾール、酢酸ジフロラゾン、吉草酸ジフルコルトロン、フルオシノニド、アムシノニド、ハルシノニド、フルオシノロンアセトニド、トリアムシノロンアセトニド、ピバル酸フルメタゾン、または酪酸クロベタゾンなどが挙げられる。解熱鎮痛剤としては、アセトアミノフェン、またはスルピリンなどが挙げられる。抗てんかん剤としては、例えばアセタゾラミド、カルバマゼピン、クロナゼパム、ジアゼパム、またはニトラゼパムなどが挙げられる。消炎鎮痛剤としては、例えばアルクロフェナク、アルミノプロフェン、イブプロフェン、インドメタシン、エピリゾール、オキサプロジン、ケトプロフェン、ジクロフェナクナトリウム、ジフルニサル、ナプロキセン、ピロキシカム、フェンブフェン、フルフェナム酸、フルルビプロフェン、フロクタフェニン、ペンタゾシン、メチアジン酸、またはメフェナム酸、モフェゾラクなどが挙げられる。化学療法剤としては、サラゾスルファピリジン、スルファジメトキシン、スルファメチゾール、スルファメトキサゾール、スルファメトピラジン、またはスルファモノメトキシンなどのサルファ剤、エノキシン、オフロキサシン、シノキサシン、スパルフロキサシン、チアンフェニコール、ナリジクス酸、トシル酸トスフロキサシン、ノルフロキサシン、ピペミド酸三水和物、ピロミド酸、フレロキサシン、またはレボフロキサシンなどの合成抗菌剤、アシクロビル、ガンシクロビル、ジダノシン、ジドブジン、またはビタラビンなどの抗ウィルス剤、イトラコナゾール、ケトコナゾール、フルコナゾール、フルシトシン、ミコナゾール、またはピマリシンなどの抗真菌剤が挙げられる。ホルモン剤としては、インスリン亜鉛、プロピオン酸テストステロン、または安息香酸エストラジオールなどが挙げられる。血管新生抑制剤としては、シクロスポリン、ラパマイシン、またはタクロリムスなどが挙げられる。プロテアーゼ阻害剤としては、例えば〔L−3−トランスーエトキシカルボニルオキシランー2−カルボニル〕―L−ロイシン(3−メチルブチル)アミド(E−64−ｄ)などが挙げられる。アルドース還元酵素阻害剤としては、5−(3−エトキシー4−ペンチルオキシフェニル)チアゾリジンー2、4−ジオンなどが挙げられる。潰瘍性大腸炎治療剤としてはメサラジンなどが挙げられる。
【０００５】
特許文献２に記載の懸濁液用注腸容器においては、筒状弁体にヒンジ連結した開閉蓋式の弁体によって、吐出する流体の流圧に応じて弁蓋が９０度まで自然に押し開かれるように構成してあるが、閉じる場合も自然に閉じるものであるから流体の逆流を迅速且つ充分に阻止することは出来ない構成であった。
【０００６】
【特許文献１】特開２００６−３６６６０号公報
【特許文献２】特開２００３−１９０２９８号公報
【発明の開示】
【発明が解決しようとする課題】
【０００７】
そこで、本発明は、容器本体の吐出部に流動しにくい難溶性薬剤が滞留することなく充分に流動性が確保できて吐出操作が円滑に出来ると共に、逆流するのを迅速に阻止することができる懸濁液用注腸容器を提供しようとするものである。
【課題を解決するための手段】
【０００８】
本発明は、請求項１に記載のように、難溶性薬剤を懸濁した懸濁液を収容した容器本体の吐出口部を下方に傾けて前記吐出口部に連結した注腸ノズルから難溶性薬剤の懸濁液を吐出するようにした注腸容器において、容器本体の吐出口部に連結する注腸ノズルのノズル連結部に、懸濁液が滞留可能な大径管部と、該大径管部から滑らかに小径化して弁頭部の側面と密着して嵌受する弁受管部と、弁受管部から再度滑らかに大径化して弁頭部を開閉作動可能に収容する弁収容管部とを有する弁収容筒体を設けると共に、前記弁収容筒体内に、前記弁受管部に嵌合する先細りのテーパー嵌合面を側面に有する前記弁頭部と、弁収容筒体の末端部に設置可能な中空状の筒状弁基部と、弁頭部と筒状弁基部との間に弁頭部を弁受管部に向かって弾圧すると共に難溶性薬剤の懸濁液を吐出方向に誘導可能に螺旋状に設けた弾力バネ部とを有する弁部材を設けてなる懸濁液用注腸容器を提供するものである。
【０００９】
また、本発明は、請求項２に記載のように、請求項１に記載の懸濁液用注腸容器において、弁頭部が弁受管部との間にテーパー嵌合面以外に密着位置をガイドし規制する当接弁部を有しない懸濁液用注腸容器を提供するものである。
【００１０】
また、本発明は、請求項３に記載のように、請求項１又は２に記載の懸濁液用注腸容器において、弁頭部が基端部側面から先端部側面まで断面円状で高さに対してテーパー嵌合面の半径が０．０２〜０．２の割合で減少する滑らかな円断面を有する懸濁液用注腸容器を提供するものである。
【００１１】
また、本発明は、請求項４に記載のように、請求項１、２又は３に記載の懸濁液用注腸容器において、弁部材が弁頭部と筒状弁基部との間に弾力バネ部以外の連結部分を有しない懸濁液用注腸容器を提供するものである。
【００１２】
また、本発明は、請求項５に記載のように、請求項１乃至４のいずれかに記載の懸濁液用注腸容器において、弾力バネ部が複数条の重なり合わないバネ片部からなる懸濁液用注腸容器を提供するものである。
【００１３】
また、本発明は、請求項６に記載のように、請求項５に記載の懸濁液用注腸容器において、弾性バネ部が３条のバネ片部からなる懸濁液用注腸容器を提供するものである。
【００１４】
また、本発明は、請求項７に記載のように、請求項１乃至６のいずれかに記載の懸濁液用注腸容器において、弾性バネ部の内径が筒状弁基部の内径にほぼ等しい懸濁液用注腸容器を提供するものである。
【００１５】
また、本発明は、請求項８に記載のように、請求項１乃至７のいずれかに記載の懸濁液用注腸容器において、弁受管部の最小径面部が滑らかな円弧断面を有する懸濁液用注腸容器を提供するものである。
【００１６】
また、本発明は、請求項９に記載のように、請求項１乃至８のいずれかに記載の懸濁液用注腸容器において、弁頭部に逆流阻止用凹陥部を設けてなる懸濁液用注腸容器を提供するものである。
【発明の効果】
【００１７】
本発明に係る懸濁液用注腸容器によれば、本発明は、請求項１に記載のように、難溶性薬剤を懸濁した懸濁液を収容した容器本体の吐出口部を下方に傾けて前記吐出口部に連結した注腸ノズルから難溶性薬剤の懸濁液を吐出するようにした注腸容器において、容器本体の吐出口部に連結する注腸ノズルのノズル連結部に、懸濁液が滞留可能な大径管部と、該大径管部から滑らかに小径化して弁頭部の側面と密着して嵌受する弁受管部と、弁受管部から再度滑らかに大径化して弁頭部を開閉作動可能に収容する弁収容管部とを有する弁収容筒体を設けると共に、前記弁収容筒体内に、前記弁受管部に嵌合する先細りのテーパー嵌合面を側面に有する前記弁頭部と、弁収容筒体の末端部に設置可能な中空状の筒状弁基部と、弁頭部と筒状弁基部との間に弁頭部を弁受管部に向かって弾圧すると共に難溶性薬剤の懸濁液を吐出方向に誘導可能に螺旋状に設けた弾力バネ部とを有する弁部材を設けてなる構成を有することにより、容器本体の吐出口部を下方に傾けて注腸ノズルから難溶性薬剤の懸濁液を吐出するとき、ノズル連結部に設けた弁収容筒体の弁受管部に側面で密着していた弁頭部が懸濁液の液圧によって大径の弁収容管部に押し込まれて、弁頭部側面と弁収容管部との間に滑らかに広がる液流路ができ、次いで、螺旋状の弾力バネ部により渦状に旋回させて懸濁液を筒状弁基部内に導入して、流動しにくい難溶性薬剤を滞留することなく流動的に注腸ノズルから吐出することができると共に、吐出操作が完了した場合には、弾力バネ部によって押圧された弁頭部が弁収容管部から弁受管部に円滑に迅速に案内され、その側面のテーパー嵌合面が弁受管部に楔状に嵌着して、注腸ノズル側からの逆流を確実に阻止することができる効果がある。
【００１８】
また、本発明は、請求項２に記載のように、請求項１に記載の懸濁液用注腸容器において、弁頭部が弁受管部との間に滑らかなテーパー嵌合面以外に密着位置を規制するフランジ状の弁部分を有しない構成であるから、弁頭部を懸濁液の流動性を阻害しない簡素で機能的な構造にすることができるのみならず、弁受管部とテーパー嵌合面との密着位置を幅広く設定できて逆流阻止を確実にすることができる効果がある。
【００１９】
また、本発明は、請求項３に記載のように、請求項１又は２に記載の懸濁液用注腸容器において、弁頭部が基端部側面から先端部側面まで断面円状で高さに対してテーパー嵌合面の半径が０．０２〜０．２の割合で減少する滑らかな円断面を有する構成にすることにより、懸濁液の流動性に対応して弁受管部とテーパー嵌合面との密着位置を幅広く設定できて逆流阻止を確実にすることができる効果がある。
【００２０】
また、本発明は、請求項４に記載のように、請求項１、２又は３に記載の懸濁液用注腸容器において、弁部材が弁頭部と筒状弁基部との間に弾力バネ部以外の連結部分を有しない構成にすることにより、螺旋状の弾力バネ部によって懸濁液の流動性を他の構造に邪魔されずに充分に与えることができる効果がある。
【００２１】
また、本発明は、請求項５に記載のように、請求項１乃至４のいずれかに記載の懸濁液用注腸容器において、弾力バネ部が複数条の重なり合わないバネ片部からなる構成を有することにより、弁頭部を複数のバネ片部で安定して作動するように弾圧することができる効果がある。
【００２２】
また、本発明は、請求項６に記載のように、請求項５に記載の懸濁液用注腸容器において、弾性バネ部が３条のバネ片部からなる構成を有することにより、弁頭部を３点保持で安定して弾圧することができる効果がある。
【００２３】
また、本発明は、請求項７に記載のように、請求項１乃至６のいずれかに記載の懸濁液用注腸容器において、弾性バネ部の内径が筒状弁基部の内径にほぼ等しい構成を有することにより、懸濁液の円滑な流動性が得られると共に、弁部材を一体成型でプラスチック成形加工するときに内径部分をほぼ同一径の棒状の中子で容易に成形することが出来る効果がある。
【００２４】
また、本発明は、請求項８に記載のように、請求項１乃至７のいずれかに記載の懸濁液用注腸容器において、弁受管部の最小径面部分が滑らかな円弧断面を有する構成を有することにより、弁頭部側面のテーパー嵌合面と円滑な着脱を可能にする効果がある。
【００２５】
また、本発明は、請求項９に記載のように、請求項１乃至８のいずれかに記載の懸濁液用注腸容器において、弁頭部に逆流阻止用凹陥部を設けてなる構成を有することにより、逆流する液によって弁頭部が押圧されて迅速且つ確実に弁受管部に嵌着する効果がある。
【発明を実施するための最良の形態】
【００２６】
以下図示する実施例により本発明を説明する。
【００２７】
本発明に係る懸濁液用注腸容器は、図７又は図８に記載の如く、難溶性薬剤を懸濁した懸濁液を収容した容器本体５０の吐出口部５１を下方に傾けて前記吐出口部５１に連結した注腸ノズル６０から難溶性薬剤の懸濁液を吐出するようにした注腸容器７０において、容器本体５０の吐出口部５１に連結する注腸ノズル６０のノズル連結部６１に、前記弁部材４０を内部に一体に収容した弁収容筒体１を設けてある。
【００２８】
弁収容筒体１には、内部に後述する弁部材４０を一体に収容してあり、図７及び図８に記載の如く、先端部にノズル孔６２を有する注腸ノズル６０の管状のノズル管部６３の基部付近のノズル連結部６１内に一体に収納されている。
【００２９】
容器本体５０の吐出口部５１は、容器天板５２の中央に吐出孔５３を具備し、その外周に注腸ノズル６０の連結筒部６５が密封状態で嵌着したとき、ノズル管部６３の連結管部６６が吐出孔５３を囲んで容器天板５２に密着するように構成してある。６４は弾力性を有する締め付け管部で、吐出口部５１及び逆止突起部５４を乗り越えて嵌合し容易に抜けないように構成してある。なお、容器本体５０の吐出口部５１には、注腸ノズル６０の連結筒部６５が螺合する構成であっても良い。
【００３０】
弁収容筒体１は、図２又は図３に記載の如く、下方に傾けた容器本体５０の吐出口部５１から供給される懸濁液が滞留可能な大径管部２と、該大径管部２から滑らかに小径化して弁頭部１０の側面と密着して嵌受する弁受管部３と、弁受管部３から再度滑らかに大径化して弁頭部１０を開閉作動可能に収容する弁収容管部４とを有する。
【００３１】
また、前記弁収容筒体１内には、前記弁受管部３に嵌合する先細りのテーパー嵌合面１１を側面に有する前記弁頭部１０と、弁収容筒体１の末端部に設置可能な中空状の筒状弁基部２０と、弁頭部１０と筒状弁基部２０との間に弁頭部１０を弁受管部３に向かって弾圧すると共に難溶性薬剤の懸濁液を吐出方向に誘導可能に螺旋状に設けた弾力バネ部３０とを有する弁部材４０を設けてある。
【００３２】
この構成を有することにより、容器本体の吐出口部を下方に傾けて注腸ノズルから難溶性薬剤の懸濁液を吐出するとき、図２に記載のように、ノズル連結部に設けた弁収容筒体１の弁受管部３に側面で密着していた弁頭部１０が懸濁液の液圧によって大径の弁収容管部４に押し込まれて、弁頭部１０側面と弁収容管部４との間に滑らかに広がる液流路Ａができ、次いで、螺旋状の弾力バネ部３０により渦状に旋回させて懸濁液を筒状弁基部２０内に導入して、流動しにくい難溶性薬剤の懸濁液を滞留することなく流動的に注腸ノズルから吐出することができる。
【００３３】
更に、吐出操作が完了した場合には、図１に記載のように、弾力バネ部３０によって押圧された弁頭部１０が弁収容管部４から弁受管部３に円滑に迅速に案内され、その側面のテーパー嵌合面１１が弁受管部３に楔的に嵌着して、注腸ノズル側からの逆流を確実に阻止することができる。このことは、吐出操作前などにおいて注腸ノズルを腸内に挿入する段階などにおいても注腸ノズル側からの逆流を確実に阻止することができることを意味する。なお、弁頭部１０の裏側には逆流阻止用凹陥部１３を設けてあり、逆流する液によって弁頭部１０が押圧されて迅速且つ確実に弁受管部３に嵌着するように構成してある。
【００３４】
前記弁受管部３は、図２に記載のように、大径管部２から滑らかに小径化する小径化テーパー面部３ｂと、弁頭部１０側面のテーパー嵌合面１１と嵌合する最小径面部３ａと、再度滑らかに大径化する大径化テーパー面３ｃからなり、小径化テーパー面部３ｂは吐出する懸濁液を大径管部２から弁頭部１０に円滑に誘導して弁頭部１０の迅速な離脱を可能にし、滑らかな円弧断面を有する最小径面部３ａは弁頭部側面のテーパー嵌合面１１と円滑な着脱を可能にし、大径化テーパー面３ｃは弁頭部１０の上部側面と弁収容管部４との間に滑らかに広がる液流路Ａを形成して懸濁液の流動を増進する効果がある。
【００３５】
また、弁頭部１０が弁受管部３との間に滑らかなテーパー嵌合面１１以外に密着位置を規制するフランジ状の弁部分などを有しない構成であるから、弁頭部１０を懸濁液の流動性を阻害しない簡素で機能的な構造にすることができるのみならず、弁受管部３とテーパー嵌合面１１との密着位置を幅広く設定できて逆流阻止を確実にすることができる。１２は弁頭部１０の頂上面部１４とテーパー嵌合面１１との間に設けた円弧面部である。
【００３６】
また、弁頭部１０が基端部側面から先端部側面まで断面円状で高さに対してテーパー嵌合面１１の半径がほぼ０．０２〜０．２の割合で減少する滑らかな円断面を有することにより、懸濁液の流動性に対応して弁受管部３とテーパー嵌合面１１との密着位置を幅広く設定できると共に、図２に記載のように、テーパー側面１１と弁収容管部４との液流路Ｂを滑らかに狭めて流圧を増大して中空で螺旋状の弾圧バネ部３０を介して筒状弁基部２０内の円管部２１の広い液流路Ｃに導入して、流動しにくい難溶性薬剤を滞留することなく流動的に注腸ノズルから吐出することができる。なお、図示の実施例の場合、弁頭部１０が基端部側面から先端部側面まで断面円状で高さに対してテーパー嵌合面１１の半径がほぼ０．１の割合で減少する滑らかな円断面を有する。
【００３７】
また、弁収容筒体１は弁収容管部４の下端部に筒状弁基部２０を係止するための係止段部５を具備し、筒状弁基部２０の外側に設けた係合縁部２２が図において下方から嵌め込み式に嵌着するように構成してある。この場合、係止段部５の最小径部は弁頭部１０の基端部側面の外径にほぼ等しく、従って、係合縁部２２の外形は弁収容管部４より小径で係止段部５の最小径部より大きく構成してあり、図において係止段部５の下方に滑らかに大径化して設けたガイド筒部６を通って弾性的に嵌合するように構成してある。また、筒状弁基部２０の係合縁部２２の下側にはガイド筒部６に嵌合する嵌合凹部２３が設けてある。
【００３８】
また、本発明に係る螺旋状の弾性バネ部３０は、図において、弁頭部１０の下外側縁部１５と筒状弁基部２０の上外側縁部２４との間に細長状のバネ片部３１をスパイラルに設けて構成してあり、図２に記載のように圧縮した状態でもバネ片部３１の間に螺旋状の液流路が形成されるように構成してある。バネ片部３１はコイルスプリングのように一条のバネ片部３１を一回以上の多数回に巻き回した形態にすることも、二条以上の多条のバネ片部３１を重なり合わないように互いに螺旋状に設けた形態にすることも可能である。
【００３９】
図３に記載の実施例の場合、３条のバネ片部３１を互いに１２０度間隔で１２０度旋回して螺旋状になるように設けてあり、弁頭部１０を３条のバネ片部３１の３点保持で安定して弾圧することができるように構成してある。
【００４０】
個々のバネ片部３１は内側に仮想内円筒部３２が存在するかのようにその周囲に巻き付けるように設けてあり、図示の実施例の場合は、バネ片部３１の内側面３３が平面状をなすのに対して外側面３４は断面が三角形状又は円弧状の山形になるように成形してあり、バネ片部３１が形成する螺旋状の流路が外側から内側には流動しやすく、内側から外側には戻りにくく構成してある。なお、１条、２条、４条以上のバネ片部３１からなる弾性バネ部３０の場合でも同様に構成することができるのは勿論可能である。
【００４１】
上記の構成からなる弁部材４０は、プラスチックの射出成形での一体加工が可能である。弾性バネ部３０の仮想内円筒部３２の径と筒状弁基部２０の円管部２１の径とほぼ等しい同一径の棒状の中子の先端部を、弁頭部１０の逆流阻止用凹陥部１３の形状に一致させて、その周囲を弁頭部１０、弾性バネ部３０及び筒状弁基部２０の外形にキャビテイが合致する外割型で覆って、ゲートから溶融プラスチックをキャビテイ内に充填して、プラスチックの固化後に外型及び中子を外せば、弁部材４０が一体成形することができる。
【００４２】
なお、弁収容筒体１もプラスチックス加工が可能である。
【図面の簡単な説明】
【００４３】
【図１】本発明実施例の要部の一作動態様を示す一部概略断面図。
【図２】その要部の他の作動態様を示す一部概略断面図。
【図３】その一要部の正面図。
【図４】その平面図。
【図５】その平面図。
【図６】図３の要部の中央縦断面図。
【図７】本発明実施例の概略断面図。
【図８】その実施例の一部分解概略断面図。
【符号の説明】
【００４４】
１      弁収容筒体
２      大径管部
３      弁受管部
４      弁収容管部
５      係止段部
６      ガイド筒部
１０    弁頭部
１１    テーパー嵌合面
１２    円弧面部
１３    逆流阻止用凹陥部
１４    頂上面部
１５    下外側縁部
２０    筒状基部
２１    円管部
２２    係合縁部
２３    嵌合凹部
２４    上外側縁部
３０    弾力バネ部
３１    バネ片部
３２    仮想内円筒部
３３    内側面
３４    外側面
４０    弁部材
５０    容器本体
５１    吐出口部
６０    注腸ノズル
６１    ノズル連結部
６２    ノズル孔
６３    ノズル管部
６４    締め付け管部
６５    連結筒部
６６    連結管部
７０    注腸容器
【図１】
2010279455.tif 000003
【図２】
2010279455.tif 000004
【図３】
2010279455.tif 000005
【図４】
2010279455.tif 000006
【図５】
2010279455.tif 000007
【図６】
2010279455.tif 000008
【図７】
2010279455.tif 000009
【図８】
2010279455.tif 000010